Podtech/llm-jp-corpus-v4-ja_patent huggingface dataset:
(57)【要約】【課題】結核菌に対し短時間に優れた殺菌効果を発揮させることができる殺菌方法および結核菌処理液の効果を簡便かつ正確に判定できるキャリアテスト用のキャリアを提供する。【解決手段】強酸性電解水が好ましくは強アルカリ性電解水との組合せが結核菌に対し優れた殺菌効果を示す。また多孔質セラミック小片をキャリアテスト用キャリアとして用いると細菌処理液の有効性を適切に判定できる。【選択図】なし【特許請求の範囲】
【請求項１】
細菌付着体を強酸性電解水での処理と強アルカリ性電解水での処理に供することを特徴とする細菌付着体の殺菌処理方法。
【請求項２】
細菌が結核菌又は非結核性抗酸菌である請求項１記載の方法。
【請求項３】
結核菌又は非結核性抗酸菌付着体を強酸性電解水で処理することを特徴とする結核菌付着体の殺菌処理方法。
【請求項４】
多孔質セラミック小片からなることを特徴とする細菌処理液の有効性の判定に用いるキャリアテスト用キャリア。
【発明の詳細な説明】
【技術分野】
【０００１】
本発明は細菌処理方法に関し、特に病院等において結核菌や非結核性抗酸菌等が付着しているおそれのある医療用具等の殺菌消毒に用いるのに適する殺菌処理方法に関し、さらには殺菌処理の有効性の判定に用いるキャリアテスト用のキャリアに関する。
【背景技術】
【０００２】
医療用具その他の殺菌消毒では種々の処理液が用いられているが、結核菌を含む抗酸菌や有芽胞細菌等に対しても十分な殺菌効果をもつものは今日まで提案されているとはいえない。本来の殺菌効果に優れ、かつ処理液成分の残留等の廃棄処理に問題のない処理液の提供が医療現場では強く望まれている。
【発明の開示】
【発明が解決しようとする課題】
【０００３】
本発明の第１の目的は処理後の問題なしに結核菌や非結核性抗酸菌等に対して有効な殺菌処理方法を提供することにあり、第２の目的は処理後の残留性や廃棄処理等の問題なしに適用可能な殺菌処理方法を提供することにあり、第３の目的は殺菌処理の有効性の判定に用いるキャリアテストにおいて用いる、取り扱いの簡単さと再現性に優れたキャリアを提供することにある。
【課題を解決するための手段】
【０００４】
本発明は、第１に、細菌付着体を強酸性電解水での処理と強アルカリ性電解水での処理に供することを特徴とする細菌付着体の殺菌処理方法である。
【０００５】
本発明は、第２に、結核菌又は非結核性抗酸菌付着体を強酸性電解水で処理することを特徴とする結核菌付着体の殺菌処理方法である。
【０００６】
本発明は、第３に、多孔質セラミック小片からなることを特徴とする細菌処理液の有効性の判定に用いるキャリアテスト用キャリアである。
【発明の効果】
【０００７】
本発明において強酸性電解水による処理と強アルカリ性電解水による処理を組合せることにより、殺菌効果が相乗的に増加し、結核菌を含む抗酸菌や有芽胞細胞等の従来の一般的な消毒液に対して抵抗力の強い細菌に対しても十分な殺菌効果を発揮させることができる。特に強酸性電解水が結核菌に対し極めて短時間に優れた殺菌効果を示すことは従来の報告例にはない事実である。
【０００８】
また多孔質セラミック小片を、細菌処理液の有効性を判定するキャリアテストにおいてキャリアとして用いた場合には、細菌の付着性が向上し、蒸留水や電解水でも容易に流出することなく、より正確な再現性の高い判定を行うことが可能となる。
【発明を実施するための最良の形態】
【０００９】
本発明で用いる強酸性電解水の性状は特に制限されないが、通常は、ｐＨが２．２〜２．７、酸化還元電位（ＯＲＰ）が＋１１００ｍＶ程度、残留塩素濃度が１０〜６０ｐｐｍ程度のものが好ましく用いられる。
【００１０】
本発明で用いる強アルカリ性電解水の性状は特に制限されないが、通常は、ｐＨが１０．０〜１２．０のものが好ましく用いられる。
【００１１】
これらの処理水による処理は浸漬処理が好ましい。いずれの処理水による処理を先行させてもよいが、強酸性電解水が優れた殺菌作用を示し、強アルカリ性電解水が優れた洗浄作用を示すことから、最初に強アルカリ性電解水で処理し、その後に強酸性電解水で処理することが好ましい。これらの処理液による処理は浸漬処理が好ましい。
【００１２】
この２段処理に供する被処理物には、各種の細菌で汚染されているおそれのある医療用具等適宜の細菌付着体が包含されるが、本発明の殺菌処理方法は、特に結核菌に対して効果的である。
【００１３】
殺菌処理の殺菌効果の確認にはキャリアテスト法を用いることができる。キャリアテスト法は金属やカテーテル等の小片に細菌を付着させ、浸漬殺菌処理後にその有効性を判定する方法である。本発明者等はキャリアテスト法を用いて殺菌効果を検討する過程で、キャリアとして多孔質セラミックの小片を用いることが極めて効果的であることを見出した。
【００１４】
この多孔質セラミックキャリアは円筒体の形状で用いることが好ましい。この多孔質セラミックキャリアは高精度で殺菌効果を判定することができる。
【００１５】
次に実施例に基いて本発明を例証する。
１．材料
使用菌株は結核菌Ｍ．ｔｕｂｅｒｃｕｌｏｓｉｓ  Ｈ３７Ｒｖ株（ＡＴＣＣ２７２９４）、培地はミドルブルック７Ｈ１１寒天培地。強酸性電解水（以下「ＳＡＤ」と略称）はｐＨ２．５、残留塩素濃度約３０ｐｐｍとした。強アルカリ性電解水はｐＨ１１。キャリアは円筒形の多孔質セラミックを用いた。
【００１６】
２．試験方法
試験１：
２．４１×１０７ｃｆｕ／ｍｌの菌液を段数希釈（１０倍）して５段階濃度の被検菌液を調製した。被検菌液２００μｌに対し１８００μｌのＳＡＤを添加し、ボルターミキサで混和後、３０秒〜１５分間作用させた後、２枚の７Ｈ１１寒天平板培地に被検体をそれぞれ０．１ｍｌ／プレート接種した。結果を表１に示す。
【００１７】
試験２：
キャリアを非結核菌中に１５分間浸漬後、４０分間乾燥させた後、（１）１０ｍｌのＳＡＤに浸漬し、３０秒〜１５分間作用させる方法、及び（２）キャリアを強アルカリ性電解水１０ｍｌに１分間浸漬後、取り出したキャリアをさらにＳＡＤ１０ｍｌに１〜２分間それぞれ浸漬し、作用させる方法。（１）および（２）の洗い出し液をそれぞれ培地に接種した。（１）の結果を図１に、（２）の結果を図２に示す。
【００１８】
接種した７Ｈ１０寒天平板培地はバイオハザードＰ３設備内の３７℃のフラン器中で２１日間静置培養を行なった。効果判定は育成した生菌単位数（Ｃｏｌｏｎｙ  ｆｏｒｍｉｎｇ  ｕｎｉｔ）を算定することにより比較評価した。
【００１９】
図の結果から、静置条件では強酸性電解水は１０５ｃｆｕ／ｍｌ濃度の結核菌の殺菌に５分間を要したが、強アルカリ性電解水での前処理を組合せることにより１分間の浸漬静置条件で結核菌を殺菌できることが判明した。
【００２０】
【表１】
2006239102.tif 000002
【図面の簡単な説明】
【００２１】
【図１】実施例の試験２の（１）における強酸性電解水の殺菌効果を示すグラフ。
【図２】実施例の試験２の（２）における強酸性電解水と強アルカリ性電解水の組合せの殺菌効果を示すグラフ。
【図１】
2006239102.tif 000003
【図２】
2006239102.tif 000004
(57)【要約】【目的】本発明では，粉体を，ガス放電によって，加速し薄膜を制作することである．導体でない粉体も，高温高速のプラズマ流によって，加速され，成膜し，幅広い材料分野での使用を可能にする方法として提供する．【構成】粉体は，電極間にあらかじめ置いてある．またガスは，内蔵あるいは電磁バルブ等によって，放電電圧が印加される直前に投入される．このため，粉体が有る場合，２度以上，時には１００回程度の放電を，真空を破ることなく繰り返し行うことが出来る．更に電磁バルブ等でガスを投入する際，粉体を気流によって巻きあげることによって，導体粉体を電極間に置いた場合でも，電極間の短絡がおきることを防ぐことが出来る特長をもっている．また，粉体が絶縁物であっても，ガスが放電加速を担うので，成膜することが出来る．【選択図】    図１
2006239675.tif 000002
【特許請求の範囲】
【請求項１】
真空容器中においた粉体にガスを封入もしくはパルス的に放出した後，２つの電極にパルス電圧を印加し，その粉体をガスの放電による電磁力で加速して，試料面状に薄膜を形成する方法
【請求項２】
粉末としてチタンを使い，作動ガスとして水素を使った際，ヒューズのまわりに薄膜を作ることによって，高速遮断性能を持ったヒューズを作成する方法
【発明の詳細な説明】
【発明の詳細な説明】
【産業上の利用分野】
【０００１】本発明は，粉体を薄膜上に基板上に堆積することによって，新材料の製造を行う方法法に関するものである．
【背景技術】
【０００２】従来，同軸型電極間にパルス電圧を印加することによって，粉体を電磁加速する方法があった．
【特許文献１】    特許第３３３１３７５号
【０００３】しかし，特許第３３３１３７５号の方法は，粉体そのものに電気を通電することで，プラズマを発生し，電磁加速をしている．【０００４】本発明の薄膜形成法では，ガスによって一旦放電を行い，その時，電極間で発生する電磁力で電極間においた粉体を加速する．すなわち，特許第３３３１３７５号の方法では，ガスと使用しない．また粉体をバルブ等によって，放電用電源が印加される直前に投入する操作が必要である．
【考案が解決しようとする課題】
【０００５】本発明では，粉体は，電極間にあらかじめ置いてある．またガスは，内蔵あるいは電磁バルブ等によって，放電電圧が印加される直前に投入される．このため，粉体が有る場合，２度以上，時には１００回程度の放電を，真空を破ることなく繰り返し行うことが出来る．更に電磁バルブ等でガスを投入する際，粉体を気流によって巻きあげることによって，導体粉体を電極間に置いた場合でも，電極間の短絡がおきることを防ぐことが出来る特長をもっている．また，粉体が絶縁物であっても，ガスが放電加速を担うので，成膜することが出来る．
【実施の形態】
【０００６】以下に，本発明の実施の形態を，詳述する．
【実施例】以下に，本発明の実施の形態を図１−図８に基づいて記述する．
第１図は，装置を示している．トリガをかけると電磁バルブに信号が入り作動ガスが真空装置に噴射される。遅延パルス発生器によってガス噴射から遅延されて放電が開始する。【０００７】電極部は、同軸型で，デルリンの絶縁板を挟んでパルス電源回路につながっている．絶縁デルリン板には下から電磁バルブがつながっていて，作動ガスが電極間に噴射される。これによって電極間の粉体が巻き上がるようになっている。【０００８】以上の装置によって放電が起こるのだが、図３に本方式での真空管内の電極部の基本構造と動作を示した。この実施例ではチタンの粉末を使用した。コンデンサを充電する前に、チタン粉体を図１の電極間に投入、基板を電極部から一定の距離に設置、真空状態にする。十分な真空状態になると、▲１▼電源ンデンサを充電（図２）▲２▼タイミングシステムのスイッチにより、作動ガスが噴射され、その勢いでチタン粉体が巻き上がる。（図３），▲３▼粉体が電極内部に滞在している間にイグナイトロンのスイッチが入り、電極間でアーク放電が開始され、水素がプラズマ化する。（図４）▲４▼電流による磁界と放電電流で電磁力が発生し、プラズマが加速される。この電磁加速プラズマが、粉体を加熱・加速。（図５）▲５▼基材上への成膜となる。（図６）この実施例では，ガスとして水素を使った．【０００９】銅箔の上にこの製法で作った水素吸像薄膜を置くことで，アーク発生時間を短くした高性能のヒューズが製作された．（図７はこの方法で制作した水素化チタンの無いヒューズの場合の結果で，図８はこのチタン膜がヒューズ表面に成膜された場合であり，アーク遮断時間が図７では５０ｍｓあるが，図８では約１ｍｓになった）
【発明の効果】
【００１０】本発明は，薄膜を粉体を用いて作る際，ガスの放電によって，粉体を電磁加速して，基板に堆積できる．粉体が導体でない場合でも，ガスによるプラズマ放電による電磁力で加速され，成膜することができる．また，作動ガスに水素を用いたとき，チタン粉末を水素化して基板に堆積させることが出来た．この薄膜を，ヒューズ表面に堆積すると，水素がアークを維持する電子を負イオン化し，これによって，高速遮断が可能なヒューズを制作することが出来るようになる．
【図面の簡単な説明】
【図１】発明実施例としての，薄膜製造装置
【図２】一連の放電による粉体成膜プロセス▲１▼
【図３】一連の放電による粉体成膜プロセス▲２▼
【図４】一連の放電による粉体成膜プロセス▲３▼
【図５】一連の放電による粉体成膜プロセス▲４▼
【図６】一連の放電による粉体成膜プロセス▲５▼
【図７】通常のヒューズのアーク特性（２００Ｖ，１０００Ａ）
【図８】図７のヒューズ表面に本発明の水素化チタン薄膜成膜した際のヒューズ溶断特性（２００Ｖ，１０００Ａ）
【図１】
2006239675.tif 000003
【図２】
2006239675.tif 000004
【図３】
2006239675.tif 000005
【図４】
2006239675.tif 000006
【図５】
2006239675.tif 000007
【図６】
2006239675.tif 000008
【図７】
2006239675.tif 000009
【図８】
2006239675.tif 000010
(57)【要約】【課題】  従来のバットで素振り練習などをしても、何の変哲もないので、味気なく、練習の楽しさもなく、子供などはすぐ飽きたり、すぐいやになったりした。こうした従来の欠点をなくすために、スイングしたとき、ジャストミートしたときのような快打音や「ナイススイング」などといった励ます音声を発生するバットを提供する。【解決手段】  バット（１）に、このバット（１）をスイングしたことを検出する、スイングセンサー（２）と、スイングセンサー（２）の信号により起動し、予め記憶してある音声を発生する、音声発生装置（３）を設けたことを特徴とする。【選択図】図１
2006239323.tif 000002
【特許請求の範囲】
【請求項１】
スイングセンサー（２）と音声発生装置（３）を設けたことを特徴とする、バット（１）。
【発明の詳細な説明】
【技術分野】
【０００１】    この発明は野球に使用するバット、特に素振り練習などに用いるバットに関するもの    である。
【背景技術】
【０００２】    従来のバットで素振り練習などをしても、何の変哲もないので、味気なく、練習の楽    しさもないため、子供などはすぐ飽きたり、すぐいやになったりした。
【発明の開示】
【発明が解決しようとする課題】
【０００３】    素振り練習などをしても、従来のバットでは何の変哲もないので、味気なく、楽しさ    もなく、子供などはすぐ飽きたり、いやになったりしてしまう欠点があった。本発明    はこうした従来のバットの欠点をなくすためになされたものである。
【課題解決するための手段】
【０００４】    バット（１）に加速度、風圧、振動などで、バットをスイングしたことを検知するス    イングセンサー（２）と、スイングセンサー（２）の信号により起動する音声発生装    置（３）を設ける。音声発生装置（３）には、予め音声を記憶させておき、起動した    とき記憶してある音声を発生する。
【発明の効果】
【０００５】    本発明のバットで素振り練習などをすると、スイングする度に、予め記憶してあるジ    ャストミートしたときの「カーン」という快打音や「ナイススイング」などといった    励みになる音声が発生するので、素振り練習が楽しくなり、従来のバットでやってい    たときのように、子供などがすぐ飽きたり、すぐいやになったりすることをなくし、    素振り練習などを進んでやるようになる。また、わざとバットがボールの真芯に当た    らなかったときに出るような「グシャッ」というような音や「へたくそ」といった音    声を記憶しておき、発生させれば、雰囲気をやわらげ、なごやかに練習できる。
【発明を実施するための最良の形態】
【０００６】    バット（１）の本体の先端部分を空洞にし、最先端部を開口し、その空洞内に、スイ    ングセンサー（２）と音声発生装置（３）を設ける。
【産業上の利用の可能性】
【０００７】    本発明はバットに限定されるものでなく、卓球やテニスのラケット、ゴルフのクラブ    などにも、また、これらの玩具にも容易に利用可能である。
【図面の簡単な説明】
【０００８】
【図１】  本発明実施例の斜視図である。
【符号の説明】
【０００９】      １．バット    ２．スイングセンサー    ３．音声発生装置
【図１】
2006239323.tif 000003
(57)【要約】      （修正有）【課題】  多様な椅子に対して出来るだけ統一した椅子カバーで、簡単に取り付け、取り外す事が出来、四角形の座布団やクッションばかりでなく変形クッションも簡単に収まり、ズレや落下を防止すると共に椅子の保護もできる椅子カバーを提供する。【解決手段】椅子カバーはシート状座部表面と座部の保持圧着を図る為の裏面より出来ており表座面においてはシート状であればその材質を問わない。立体形の椅子座部を被う裏面には伸縮性のある布体（通称ニット等）を使用しカバーの安定保持の為、表面と縫合しない端部に伸縮性の少ない布（バイアス等）を縫合し、バイアスと連結させた係止具によって固定する。又多様な椅子に適合させる為裏面一部に切込みを設け係止具を取り付ける。その係止具の嵌め外しや隙間を利用することで椅子カバーの着脱を可能とし、クッションの乗った椅子でも上から被せる事で簡単に装着を可能とした表裏二平面から成る椅子カバーである。【選択図】    図１
2006239327.tif 000002
【特許請求の範囲】
【請求項１】
椅子座部を被うカバーにおいて素材を選ばない加工可能な布体表面と伸縮性機能を有する布体である素材（以下ニットと称す）裏面を重ね合せ縫合し、椅子カバー裏面及び側面に解放部を持つことで椅子の支柱に対応装着可能とした下垂部を有しない形状を特長とする椅子カバー。
【請求項２】
椅子カバーにおいて表面、裏面側辺縫合部以外の裏面ニット部分においてその端部に伸縮性の少ない素材（以下バイアスと称す）を縫合する事で椅子カバーを椅子に固定しニットを安定可能とした椅子カバー。
【請求項３】
椅子カバー裏面の両側部又は表面と裏面縫合側部に切込みを設け、その切込み両側面に係止具を取付ける。係止具の利用により多様な椅子の形状に適合することを特長とした請求項１記載の椅子カバー。
【請求項４】
バイアスを椅子カバー裏面端部に縫合し係止具と一体化する事で固定する為、紐通部を有しないことを特徴とした椅子カバー。
【発明の詳細な説明】
【発明の詳細な説明】
【技術分野】
【０００１】本発明は、椅子から座布団やクッションがズレたり落ちたりすることを防止すると共に椅子を磨耗や汚れから保護する事の出来る椅子カバーである。
【背景技術】
【０００２】従来、椅子に使うクッションは、直接クッションの一辺を紐等で椅子に縛りつける方法が主流であった。だがクッションの紐と紐を縛る付ける位置が合致せず使用できない場合がある。クッションが椅子からズレたり、紐が切れて落下するなど問題があった。【０００３】椅子に合わせた座布団カバーの四隅に下垂部を作り、椅子の裏をすっぽり覆い紐で縛る方法が提案された。しかしこの方法では、多様な構造を有する椅子下部に共通したカバーで適合させることは出来ないし肘掛などがあると装着が困難であった。また椅子の全体をスカート状の布で覆う椅子カバーも提案されたが取り扱いが機能的でなかった。椅子カバーをクッションの置かれた椅子に装着するだけで、クッションのズレや落下を防止できる方法は存在しなかった。
また椅子の多様な形状に適合した椅子カバーを製造する方法も考えられて来なかった。
【発明の解決しようとする課題】
【０００５】このような事から、次のような点を解決しなければならない。
出来る限り多様な椅子の形状に装着可能な椅子カバーでなければならない。座部がクッション入り布製椅子では磨耗による擦り切れ、汚れ防止の為椅子保護にも使用可能である事、多様な形状を有するクッションを椅子から動かぬ様に固定可能な事。容易に着脱出来、洗濯や乾燥時の取り扱いも容易である事が必要。これらの点を解決すれば、機能的且つ使い易い椅子カバーを提供するものである。
【課題を解決するための手段】
【０００６】本発明の椅子カバーの表座面はシート状であればキルト、レザー等加工可能であればその素材を選ばない図面２。裏面は伸縮機能を持った布体（例えばニット、ストレッチ素材等）７を使用する図面３、図面４。表面と縫合しない端部に弾性の少ない素材の１つであるバイアス６を縫合する。更にバイアスと一体化させた係止具５を取付ける、足部支柱が１本の場合や肘掛の無い椅子の時は図面４の形態で良い、多様な椅子に対応させるため図３、図５で示す切込み４を設け係止具３を取付ける。この時椅子カバー表座面と裏面は同一の大きさとし、表座面と裏面を縫合することで表裏二面の使い易い椅子カバーを提供する。
【作用】
【０００７】裏面がニット単独の場合だと椅子カバーを引っ張ることで椅子から外れてしまう。そこで６で示したバイアスを縫合する事によりその弾性を止め椅子座部から外れる事は無い。さらに立体形で作られたカバーの場合に必要な紐の通し穴もバイアスと係止具５が一体化して椅子に止める為固定できるので必要としないのである。
【０００８】シート状布体で上から覆う事になるので、シートより小さなものであれば、クッションの形状にとらわれる事が無く開放部も大きいので椅子に乗せたクッションの上から簡単に装着出来る。
【０００９】カバーの形状が下垂部を持たない二面構造からなり、取り外せば平面となるのでその取り扱いは簡易なものとする事ができる。
【００１０】裏面をニットにする事で、その伸縮性により表座面に張る力が加わる為表座面布体が皺にならず、裏面バイアスの伸縮性が少ない為座面も動かない。多少椅子本体座面の大小があってもニットの弾性によって表座面布体を座面横部に引っ張り表座面の美観を損ねることがない。
【００１１】請求項３の構造を設ける事で、椅子の足部支柱が４本であった場合や、座部横の肘掛支柱を有する椅子など多様な形状を持つ椅子に対して、係止具の脱着によって適合する事が可能となる。
【００１２】以上の様な機能を持ちながらクッションを使わない場合でも、布体で座部全体を被い表面が弛まないので椅子の汚れや磨耗から守る為にカバー単独使用できるのである。
【発明の効果】
【００１３】  本発明は椅子カバーの座面シートによってクッションを押さえる為クッションのズレ、落下が防止可能で、又開放部が大きい為椅子への装着作業が簡単に行う事ができる。また下垂部を持たない事で取り扱いが容易である。表座部図２の材質を問わず使用でき、多様な形状の椅子に適合し装着可能となる。さらに表面が弛まずクッションを使用しない場合でも椅子を磨耗や汚れから守る事の出来る椅子カバーを提供することができる。更に裏面に紐の通し穴を設ける必要がないので加工が簡易、且使用者にとっても煩わしくない
【図面の簡単な説明】
【図１】椅子カバーを椅子に装着時の斜視図である。
【図２】椅子カバーの表座面の図である。
【図３】椅子カバーの係止具、バイアスを縫合した裏面図である。
【図４】椅子の下部支柱が１本の場合の椅子カバー裏面裁断図である。
【図５】多様な形状の椅子に適合する時の椅子カバー裏面裁断図である。
【符号の説明】
１    椅子カバー表座面
２    表裏面縫合点
３    係止具
４    切込み
５    係止具
６    バイアス
７    ニット部分
８    椅子支柱の為のスペース
【図１】
2006239327.tif 000003
【図２】
2006239327.tif 000004
【図３】
2006239327.tif 000005
【図４】
2006239327.tif 000006
【図５】
2006239327.tif 000007
(57)【要約】【課題】杖を使用しないときに簡単に杖を立て掛けて収納し、杖を必要とするときには簡単に取り出すことができなかった。また、杖が転倒することがあった。杖が倒れないように収納できる便利な固定具を付けた杖収納スタンドを提供する。【解決手段】杖収納スタンド（１）は円型の基盤（２）と杖の先端を固定する枠（７）と支柱（３）と円型の支持部（４）と支持部内のブラシ（５）で構成されている。杖（６）をスタンド内に収納するときは、基盤の枠（７）へ杖（６）をさして支持部内のブラシ（５）へ杖本体を収めて立て掛ける。支持部内のブラシ（５）により杖が固定され、杖の転倒を防止する。【選択図】  図１
2006239329.tif 000002
【特許請求の範囲】
【請求項１】
杖収納スタンドの支持部内にブラシを取り付けて、杖を固定することにより転倒しないようにした杖収納スタンド。
【請求項２】
杖収納スタンドの支持部へ杖を入れやすいように入口を広くし、杖の収納が簡単になった杖収納スタンド。
【発明の詳細な説明】
【技術分野】
【０００１】この発明は、杖収納スタンドの支持部にブラシによる固定具を設け、固定具を付けた杖収納スタンドに関するものである。
【背景技術】
【０００２】従来、杖収納スタンドの支持部に固定具がなかった。
【発明の開示】
【発明が解決しようとする課題】
【０００３】これはつぎのような問題点があった。杖を使用しないときに簡単に杖を立て掛けて、簡単に取り出すことができず、不便な場合が多かった。
また、杖が転倒することがあった。本発明は、以上のような欠点をなくすためになされたものである。
【課題を解決するための手段】
【０００４】杖収納スタンドの支持部にブラシを利用した固定具を付ける。以上の構成よりなる固定具を付けた杖収納スタンドである。
【発明の効果】
【０００５】杖収納スタンドにブラシによる固定具が付いているので、杖を収納する場合、簡単に固定し収納ができて杖が転倒しない。また、杖を必要とする場合、ブラシの固定具から簡単に取り出せるので差し支えない。
【発明を実施するための最良の形態】
【０００６】杖収納スタンドの支持部に、ブラシ状の固定具を付ける。スタンドの基盤には、杖の先端が固定できる枠を設ける。杖を入れやすいように支持部の入口を広くする。
【実施例】
【０００７】杖収納スタンド（１）の基盤（２）に枠（７）を設ける。
枠（７）に杖（６）をさして、支持部（４）へ杖本体を入れてブラシ（５）で固定する。
【産業上の利用可能性】
【０００８】本発明は、以上のような構造で杖を使用しないときに簡単に収納できて、固定することができるために、高齢者の集まる場所や杖を保持している世帯での利用可能性がある。
【図面の簡単な説明】
【０００９】
【図１】本発明を示した平面図である。
【符号の説明】
【００１０】  １  杖収納スタンド
２  基盤
３  支柱
４  支持部分
５  ブラシ
６  杖
７  基盤の枠
【図１】
2006239329.tif 000003
(57)【要約】【課題】本案は使い捨てカイロに弾力材（３）等を装着した使い捨てカイロに関するものである。【解決手段】〔１〕発熱組成物（１）を通気性を有する収納袋（２）に収め，収納袋（２）に鉄．銅．アルミ等及び樹脂等で任意の形状に形成できる弾力材（３）を装着する如く構成された使い捨てカイロ。〔２〕発熱組成物（１）を収納した収納袋（２）の外側部に弾力材（３）を貼付材等で貼付けさせた使い捨てカイロ。〔３〕発熱組成物（１）を収納した収納袋（２）の内側部に弾力材（３）を貼付材等で貼付けさせた使い捨てカイロ。〔４〕発熱組成物（１）を収納した収納袋（２）の紙状態部分に弾力材（３）を収納する部分を設けた使い捨てカイロ。【選択図】図１
2006239330.tif 000002
【特許請求の範囲】
【請求項１】
発熱組成物（１）を通気性を有する収納袋（２）に収め、収納袋（２）に鉄．銅．アルミ等及び樹脂等で任意の形状に形成できる弾力材（３）を装着する如く構成された使い捨てカイロ。
【請求項２】
発熱組成物（１）を収納した収納袋（２）の外側部に弾力材（３）を貼付材等で貼付させた請求項１記載の使い捨てカイロ。
【請求項３】
発熱組成物（１）を収納した収納袋（２）の内側部に弾力材（３）を貼付材等で貼付させた請求項１記載の使い捨てカイロ。
【請求項４】
発熱組成物（１）を収納した収納袋（２）の紙状態部分に弾力材（３）を収納する部分を設けた請求項１記載の使い捨てカイロ。
【発明の詳細な説明】
【技術分野】
【０００１】本案は，使い捨てカイロの改良に関するものである。
【背景技術】
【０００２】従来，耳つぼ温灸機等の技術があるが，第三者が耳つぼ温灸機等で耳つぼ部分を刺激しなくてはならない。
【発明が解決しようとする課題】
【０００３】本案は，その欠点を除いて，一人で有効な耳つぼ部分を刺激し，温灸効果を促進し，人体に有益な効果を発生させようとするものである。
【課題を解決するための手段】
【０００４】本発明は
〔１〕発熱組成物（１）を通気性を有する収納袋（２）に収め，収納袋（２）に鉄，銅，アルミ等及び樹脂等で任意の形状に形成できる弾力材（３）を装着する如く構成された使い捨てカイロ。
〔２〕発熱組成物（１）を収納した収納袋（２）の外側部に弾力材（３）を貼付材等で貼付させた使い捨てカイロ。
〔３〕発熱組成物（１）を収納した収納袋（２）の内側部に弾力材（３）を貼付材等で貼付させた使い捨てカイロ。
〔４〕発熱組成物（１）を収納した収納袋（２）の紙状態部分に弾力材（３）を収納する部分を設けた使い捨てカイロ
【発明の効果】
【０００５】本発明の使い捨てカイロは上記の構成であるから人体の各所の細部に使い捨てカイロを取りつけることができる。
【発明を実施するための最良の形態】
【０００６】本案は，以上のような構成であるから，鉄粉，活性炭，塩類，吸水性樹脂，及び水を含む発熱組成物（１）を収納した収納袋（２）に鉄，銅又はアルミ等の金属あるいは樹脂等を針金状等に形成しその弾力性を利用した弾力材（３）を，図３のように耳のつぼ部分に個人の耳の形に合うように指等で形成し容易に取り付けることができる。又弾力材（３）の長さ，太さ，弾力についてはさまざまな構成が可能であるが，何人でも容易に取り付けられる構成が望ましい。又弾力材（３）の外側部に安全のため樹脂等をコーティングするという構成も可能である。
【実施例１】
【０００７】本案は構成上図１．図２に示すように発熱組成物（１）を収納した収納した収納袋（２）を弾力材（３）の弾力性を利用し耳に取り付けようとするものであるから弾力材（３）は内部に収納するという構成だけでなく収納袋（２）の内側部あるいは外側部に貼付材や接着剤等あるいは収納袋（２）の通気性に影響がなければ貼付テープを使用し貼付させるという構成も可能である。又弾力材（３）は収納袋（２）の内部に完全に収納するという構成だけでなく図４に示すように一部分．あるいは半分以上が外部に飛び出していても貼付部分がしっかりしていれば構成上十分である．又収納袋（２）の内側部あるいは外側部に弾力材（３）を貼付材や接着剤等を使用し収納袋（２）に貼付させた場合においても図４に示すように一部分．あるいは半分以上が外部に飛び出していても構成上は可能である。又弾力材（３）の両先端部に収納袋（２）を前記の構成で取り付けるということも可能である．前記の構成にあっては発熱組成物（１）の量を減らせるだけでなく余分な部分に温灸効果をもたせないという構成が可能である。又外部に飛び出した弾力材（３）や収納袋（２）の身体接触部に安定させるための両面貼付テープを設けるという構成も可能である。又収納袋（２）に弾力材（３）を図５に示すように収めるだけの空間を形成し弾力材（３）を収納袋（２）に取り付けるという構成も可能である。又弾力材（３）は一本だけでなく複数本各所に取り付けたり．斜めに取り付けるという構成も可能である。又弾力材（３）は棒状態だけでなくスプリング状や網状に形成するという構成も可能である。
【実施例２】
【０００８】実験結果としては収納袋（２）を長さ１３ｃｍ程度．幅２ｃｍ程度に形成し発熱組成物（１）を１０ｇ程度収納し．アルミ等の金属等で太さ２ｍｍ程度．長さ１０ｃｍ程度に形成された針金状の弾力材（３）を収納し．図３のように弾力材（３）の金属の弾力性を利用し耳に取り付け．耳の内側部分にある人体に有益であるつぼ部分を発熱組成物（１）の温灸効果により刺激し人体の各所を改善することができる。又弾力材（３）は樹脂あるいは金属等をあらかじめｕの字形に形成し発熱組成物（１）を収納した収納袋（２）に収納させるか．あるいは一部分から半分以上が外部に飛び出ているという構成も可能である。
【産業上の利用可能性】
【０００９】本発明は上記のような構成上耳等の細かい細部に発熱組成物（１）を収納した収納袋（２）を弾力材（３）の鉄．銅．アルミ等及び樹脂等の弾力性を利用し取り付けるだけでなく．発熱組成物（１）を収納した収納袋（２）を市販の使い捨てカイロ状等に形成し弾力材（３）を装着し．その弾力材（３）を任意形状に形成し手首．足首等の細部や衣類に貼付材を使用することなく取り付けることができる。
【発明の効果】
【００１０】したがって何人でも簡単に耳のつぼ部分に温灸効果をもたらすことができ．又使い捨てカイロを貼付テープ無しでも衣類等に取りつけることができる。
【図面の簡単な説明】
【００１１】
【図１】本発明の横断面図
【図２】本発明の正面断面図
【図３】本発明の実施例をしめす斜視図
【図４】本発明の実施例をしめす正面図
【図５】本発明の実施例をしめす斜視断面図
【符号の説明】
【００１２】１は発熱組成物
２は外装部
３は弾力材
【図１】
2006239330.tif 000003
【図２】
2006239330.tif 000004
【図３】
2006239330.tif 000005
【図４】
2006239330.tif 000006
【図５】
2006239330.tif 000007
(57)【要約】【課題】  本発明は、大切な衣類を手洗いで洗うときに使う手洗い用の洗濯ネットで、手洗いをしたいくらいの大切な衣類なので、金具やファスナーを使わないように工夫した手洗い用の洗濯ネットを提供する。【解決手段】  袋状の洗濯ネット（１）の一部を円弧状に形成し、片側に出し入れ口（２）を設け、出し入れ口（２）はかぶせ式にし、出し入れ口（２）に目印部（３）、目印部４）を設けたことを特徴とする。【選択図】  図１
2006239326.tif 000002
【特許請求の範囲】
【請求項１】
袋状の洗濯ネット（１）の一部を円弧状に形成し、片側に出し入れ口（２）を設け、出し入れ口（２）はかぶせ式にし、出し入れ口（２）に目印部（３）、目印部（４）を設けたことを特徴とした手洗い用の洗濯ネット。
【発明の詳細な説明】
【技術分野】
【０００１】  本発明は、大切な衣類を手洗いで洗うときに使う手洗い用の洗濯ネットで、手洗いをしたいくらいの大切な衣類なので、金具やファスナーを使わないように工夫した手洗い用の洗濯ネットに関するものである。
【背景技術】
【０００２】  従来、手洗い専用の洗濯ネットはなかった。
【発明の開示】
【発明が解決しようとする課題】
【０００３】  そのために、次のような問題点があった。
豪華な刺繍やビーズでできた、ブラウス、セーターを洗うとき、爪や冬の荒れた手で洗うと引っ掛けたりして、生地をだめにすることが多かった。
特に洗うとき、いためやすい、絹やジョーゼットのものなどがある。
本発明は以上の問題点を解決しようとするものである。
【課題を解決するための手段】
【０００４】  袋状の洗濯ネット（１）の一部を円弧状に形成し、片側に出し入れ口（２）を設け、出し入れ口（２）はかぶせ式にし、出し入れ口（２）に目印部（３）、目印部（４）を設ける。
以上のように構成された手洗い用の洗濯ネットである。
【発明の効果】
【０００５】  大切な刺繍やビーズでできている衣服をいつまでも守ることができる。
安心して手洗いができる。
手洗いしなくても良い物も、この手洗い用の洗濯ネットに入れ、さらに、普通のネットに入れ、洗濯槽の中に入れると安心できる。
【発明を実施するための最良の形態】
【０００６】  以下、本発明の実施の形態を説明する。
袋状の洗濯ネット（１）の一部を円弧状に形成し、片側に出し入れ口（２）を設ける。
出し入れ口（２）はかぶせ式にし、出し入れ口（２）に目印部（３）、目印部（４）を設ける。
目印部（３）、目印部（４）は、装飾的にリボン（３）、リボン（４）にしても良い。
洗濯ネット（１）は、手にも、服にもやさしい素材を使う。
手洗いをしたいくらいの大切な衣服なので、金具やファスナーは使わない。
本発明は、以上の構成よりなっている。
本発明を使用するときは、大切な刺繍やビーズでできている衣服を袋状の洗濯ネットに入れ、手洗いをする。
手洗までしなくても良い物を、このネットに入れ、普通のネットに入れ、洗濯槽の中に入れると安心でＳきる。
【図面の簡単な説明】
【０００７】
【図１】  本発明の平面図である。
【符号の説明】
【０００８】１  袋状の洗濯ネット
２  出し入れ口
３  目印部
４  目印部
【図１】
2006239326.tif 000003
(57)【要約】      （修正有）【課題】  １日分又は管理サイクル分の薬を服用する回数に分け収納でき、ポケットに楽に収まる携帯性をもち且つ密閉性、容器収納薬の目視管理確認と取出し時簡単操作性をもち更に容器外観から薬と判らなくし薬服用プライバシの保護が行われる薬の携帯容器を提供する。【解決手段】  棒状のペン等の疑似形状からなるキャップおよびケース本体の収納部に分かれた容器で、ケース本体は１日分又は管理サイクル分の服用回数の個数に分けて構成し、各々薬収納部を持ち透明又は半透明で薬の目視確認機能を有し且つケース本体どうしの接続部はキャップ機能を備え密閉可能であるのと非透明等で次のケース本体の薬収納部の視覚保護を有する、尚キャップは密閉可能であり且つ非透明等により収納薬を視覚から保護し更にクリップ等を有しポケットからの脱落防止し携帯性を備える。【選択図】図５
2006239328.tif 000002
【特許請求の範囲】
【請求項１】
棒状のキャップとケース本体で構成し、ケース本体は透明又は半透明の部分を有し且つ少なくとも一つ以上の収納室を持ち収納物がケース本体外側から目視確認が出来る、更にケース本体の透明又は半透明部の目視確認機能に対しキャップを収納することにより収納物を視覚から保護する機能を有し且つケース本体にキャップ収納時の外観がペンあるいは口紅ケース等に類似する形状を持つ密閉可能な容器。
【請求項２】
請求項１の収納物を視覚から保護する機能においてキャップとケース双方が一部あるいは全体が透明又は半透明であってケース本体にキャップ収納をすることにより収納物の透過像が外部から確認出来ないあるいはし難い容器。
【請求項３】
請求項１においてケース本体が複数個で構成され各々一つ以上の収納室を有し且つケース本体どうしの連結収納部はキャップ機能の請求項１あるいは請求項２を持つ密閉可能な容器。
【請求項４】
請求項３の構成であってケース本体の複数の収納室が一部又は全て繋がった容器。
【請求項５】
請求項１、３、４各構成においてキャップ又はキャップ機能部分を透明又は半透明あるいは一部孔を明けて収納物の目視確認機能を持った容器。
【発明の詳細な説明】
【技術分野】
【０００１】  この発明は薬の携帯容器に関するものである。
【背景技術】
【０００２】  従来の薬携帯容器はポケット、ハンドバックには大きく特にポケットの対応には大き過ぎ且つ容器自体の取出しの煩わしさと容器収納物の取出し操作性に欠けていた更に服用の管理とプライバシを守る機能に欠けていた。
【発明の開示】
【発明が解決しようとする課題】
【０００３】  １日分又は管理サイクル分の薬を服用する回数に分け収納できその容器はポケットに楽に収まる携帯性をもち且つ密閉性、容器収納薬の目視管理確認と取出し時簡単操作性をもち更に容器外観から薬と判らなくし薬服用プライバシの保護を行う。
【課題を解決するための手段】
【０００４】  棒状のペン等の疑似形状からなるキャップ、ケース本体の収納部に分かれた容器でケース本体は１日分又は管理サイクル分の服用回数の個数に分けて構成し各々薬収納部を持ち透明又は半透明で薬の目視確認機能を有し且つケース本体どうしの接続部はキャップ機能を備え密閉可能であるのと非透明等で次のケース本体の薬収納部の視覚保護を有する、尚キャップは密閉可能であり且つ非透明等により収納薬を視覚から保護し更にクリップ等を有しポケットからの脱落防止し携帯性を備える。
【発明の効果】
【０００５】  ペン等の疑似形状により薬の携帯及び服用時のプライバシを守れ、且つポケット等への収納が楽になり必要な時に煩わしさを感じず気付いた時簡単に取出すことが出来る又収納薬の取出しも服用毎に区分けされ更にキャップ機能部を外す事によりケース本体の透明又は半透明容器部分で目視確認出来る為服用管理が出来る。
【発明を実施するための最良の形態】
【・・・・】
【実施例】
【０００６】  図１はポケットへの平易な携帯性とペンの疑似形状で薬携帯のプライバシ保護を特長とする薬容器の収納時を示す１は容器のキャップ２、３、４は各々容器のケース本体を示す５はポケット携帯時の落下防止クリップを示す、尚２、３、４は１日分又管理サイクル分の薬服用回数に合せ数を増減し分ける場合もある。【０００７】  図２は図１の開放時を示し収納時視覚から保護していた薬を６、７、８の透明又は半透明収納部により容易に薬を確認出来るケース本体の一部分を示す又９、１０、１１はキャップとのケース本体又はケース本体どうし収納連結の螺子等を示す。【０００８】  図３は図１の２、３、４をひとつにまとめた場合を示す。【０００９】  図４は管理又は服用環境等に応じ容器へ薬収納時も外から薬の有無と内容が目視確認出来る容器を示す。【００１０】  図５は図４の開放時を示す。
【産業上の利用可能性】
【００１１】  本発明に係る携帯容器は、工業的に量産する事が可能であるため、産業上の利用可能性を有する。
【図面の簡単な説明】
【００１２】
【図１】ペン等疑似形状の組立状態図を示す
【図２】図１のキャップ、各ケース本体収納部を開けた状態を示す
【図３】図２の実施例に対し用途によりケース本体が一体の場合を示す
【図４】図１に対し用途によりキャップ、ケース本体部が透明又は半透明の実施例を示す
【図５】図４のキャップ、各ケース本体収納部を開けた状態を示す
【符号の説明】
【００１３】１  キャップ
２、３、４  ケース本体
５  クリップ
６、７、８  ケース本体の透明（半透明）部位
９，１０，１１  螺子等
【図１】
2006239328.tif 000003
【図２】
2006239328.tif 000004
【図３】
2006239328.tif 000005
【図４】
2006239328.tif 000006
【図５】
2006239328.tif 000007
(57)【要約】【課題】  本発明は、洗濯中に、洗濯物の大切な部分を保護できるように、洗い終わったとき、中へのくい込みを防止するため、細長いネット状の紐の中央を厚めの形状にして、大切な一部分を縛って使えるようにした、縛る洗濯ネット状の紐を提供する。【解決手段】  細長い洗濯ネット状の紐（１）の中央部（２）を厚めの形状にしたことを特徴とする。【選択図】  図１
2006239325.tif 000002
【特許請求の範囲】
【請求項１】
細長い洗濯ネット状の紐（１）の中央部（２）を厚めの形状にしたことを特徴とした縛る洗濯ネット状の紐。
【発明の詳細な説明】
【技術分野】
【０００１】  本発明は、洗濯中に、洗濯物の大切な部分を保護できるように、工夫したものである。
さらに、洗い終わったとき、中へのくい込みを防止できるように、細長いネット状の紐の中央を厚めの形状にして、大切な一部分を縛って使えるようにした、縛る洗濯ネット状の紐に関するものである。
【背景技術】
【０００２】  従来、服などに付着されている、ファスナー、留具を保護する場合は、全部をネットに入れなくてはならなかった。
ネットで保護される部分と、ネットから出して、しっかり洗える洗濯具はなかった。
【発明の開示】
【発明が解決しようとする課題】
【０００３】  そのために、次のような問題点があった。
特に、子供の靴下は、ゴムの部分を保護し、汚れがひどい部分をきれいに落とせなかった。
ネットに入れないで洗濯をしてしまうと、ファスナーや金具をいためてしまっていた。
手軽に簡単に使えなかった。
本発明は以上の問題点を解決しようとするものである。
【課題を解決するための手段】
【０００４】  細長い洗濯ネット状の紐（１）の中央部（２）を厚めの形状にした。
以上のように構成された縛る洗濯ネット状の紐である。
【発明の効果】
【０００５】  特に、子供の靴下は、ゴムの部分を保護しながら、ひどい汚れの部分だけをきれいに落とせる。
ネットに入れないと、ファスナーや金具をいためない。
他の洗濯物を傷付けないので安心である。
縛るだけなので、手軽で間単に使える。
【発明を実施するための最良の形態】
【０００６】  以下、本発明の実施の形態を説明する。
細長い洗濯ネット状の紐（１）の中央部（２）を厚めの形状にした。
生地にやさしく、水洗いに強い素材を使う。
結びやすく、解きやすい、素材を使う。
中央部を花や動物などのアクセントにすると、楽しい。
本発明は、以上の構成よりなっている。
本発明を使用するときは、たとえば、子供用の一部が汚れている靴下で、ファスナーや金具の部分を縛って、保護し、汚れがひどい部分だけをしっかり洗える。
縛るだけで、間単に使える洗濯用の紐である。
【図面の簡単な説明】
【０００７】
【図１】  本発明の斜視図である。
【図２】  本発明の他の実施例を示した斜視図である。
【符号の説明】
【０００８】１    洗濯ネット状紐
２    中央部
【図１】
2006239325.tif 000003
【図２】
2006239325.tif 000004
(57)【要約】      （修正有）【課題】美容と健康のための半身浴、入浴時におけるストレス解消や、疲れを回復させる物に関し、風呂、床、椅子でも簡単に当てるだけで肩や首全身にに指圧、リラックス効果のある当てる物を提供する。【解決手段】入浴しながらお風呂のふちにかけたり、体を当てて使う当てる物１は、滑り止めつきビニール製下布２と伸縮性、吸収性、肌ざわりのよい乾きやすい網目入り上布３とを縫合して構成された当てる物の内部を３室に分け、該室内部の中身５として３．５〜１ｃｍの大きさの球状で弾力のあるゴム製か発包スチロールのような物を入れて構成する。形、色、柄を変えるといっそう気分もリラックスでき楽しく、又香をつけると癒される。【選択図】図１
2006239384.tif 000002
【特許請求の範囲】
【請求項１】
日々、こり固まった体をお風呂（床、椅子でも可）で首、肩、背中、腰、ふくらはぎ、足裏にあてて指圧、リラックス効果のある当てる物を発明した。
滑り止めつきビニール製下布と伸縮性、吸収性、肌ざわりのよい乾きやすい、網目入り上布をあわせてミシンで縫い３室に分けて球が移動しないようにする。中身は３．５〜１ｃｍ位のさまざまな大きさの球状のもので弾力あるゴム製か発包スチロールにする。大きさは、体のどこに当てても、男女でも、縦横自由に使えるサイズにする。（３５×２８ｃｍ位）形、色、柄を変えると楽しい物になる。香をつけると癒される。
【発明の詳細な説明】
【技術分野】
【０００１】この発明は入浴時（床、椅子で可）に首、肩、背中、腰ふくらはぎ、足裏に当てて、指圧、リラックス効果のある当てる物に関することである。
〔背景技術〕【０００２】従来のお風呂グッズは、いろいろでているが、入浴のついでに簡単に当てるだけで身体を指圧、リラックスできる当てる物はないと思う。
〔特許文献〕【０００３】わかりません。
〔発明の開示〕
〔発明が解決しようとする課題〕【０００４】最近、美容と健康のため半身浴がよいとはやり、ゆっくり長湯する傾向にある。その時疲れを回復させる物はないかと考えました。入浴しながら、疲れを回復、リラックス効果のある、この当てる物１枚を風呂にかけたり、置いたりして体のどこにでも使える物を発明し課題を解消するものである。
〔課題を解決するための手段〕【０００５】入浴の時簡単に全身に使える。１、当てる物本体を作る。お風呂のふちにかけれるように２、滑り止めつきビニール製下布と伸縮性、吸収性、肌ざわりのよい乾きやすい３、網目入り上布をあわせてミシンで縫い４、ミシン目を入れ３室つき袋を作る。
５、中身は３．５〜１ｃｍのさまざまな大きさの球状のもので弾力あるゴム製か発包スチロールにする。
〔発明の効果〕【０００６】入浴時（床、椅子でも可）にこれ１枚で手軽に全身どこにあてても気持ちよく疲労回復、リラックスでき下記の効果をもたらす。
首−脳脊髄液で脳脊髄神経をきれいにする。
肩、背中、腰−血液の活性化、こりがほぐれ安眠を促す。
足、ふくらはぎ−全身の疲労回復、内臓状態の改善
大きさは、体のどこに当てても、男女でも、縦横自由に使えるサイズにした。
形、色、柄を変えるとなおいっそう気分が楽しくなり明日への活力となる。
【図面の簡単な説明】
【０００８】〔図１〕本発明の上からの図
〔図２〕本発明断面図
〔図３〕応用例
【符号の説明】
【０００９】１、当てる物本体
２、滑り止めつきビニール製下布
３、網目入り上布
４、ミシン目
５、中身、弾力ある球状物
【図１】
2006239384.tif 000003
【図２】
2006239384.tif 000004
【図３】
2006239384.tif 000005
(57)【要約】【課題】横に寝かせる状態の育児具から、次に尻をついて起きてもいられる段階を迎えた乳児が、成長に伴ない必要とする育児用具に関する、乳児ボックス歩行器付きを提供する。【解決手段】室内で乳児を育児するボックスを、乳児の成長に従い床の座床板を取りはずし出来る構造に設け、歩行器に必要な吊りベルト棒を設け、補助イス板を吊りベルトで高さ調節が出来て、歩行器となることを特徴とする、乳育児ボックス歩行器付き用具。【選択図】図１
2006239385.tif 000002
【特許請求の範囲】
【請求項１】
室内で乳児を育児するボックスを成長に従って、床の座板を取りはずせるように設け、吊りベルト棒を設け、補助イス板を吊りベルトで高さ調節が出来ることを特徴とする、乳育児ボックス歩行器付き。
【発明の詳細な説明】
【技術分野】
【０００１】  本発明は、横に寝かせる状態の育児具から、次に尻をついて起きていられる段階を迎えた乳児が必要とする育児器具に関する、乳育児ボックス歩行器付きである。
【背景技術】
【０００２】  従来は、育児を育てる時は、成長に従って、育児用具が合わなくなってその都度取り替え使用期間が短かく室内に用具がゴロゴロしていた。
【発明の開示】
【発明が解決しようとする課題】
【０００３】  そのため次のような問題点があった。
（イ）  寝かせた状態から成長に従い、９０度まで角度を替えて起こしてあげられる室内育児用具で一石二鳥のものがなかった。
（ロ）  この時期は、親が胡床に抱きかかえることが多く成るが、その安楽な状態に替るような用具がなかった。
（ハ）  多忙な時、親は抱きかかえ癖がついたわが子に因っても、この時期に良い室内用具がなかった。
（ニ）  歩行器にはまだ早く一人で育児ボックスで楽しめるものがなかった。
（ホ）  成長に従って組み替えの出来る便利な用具がなかった。
本発明は、以上の問題点を解決するためになされたものである。
【解決するための手段】
【０００４】  室内で乳児を育児するボックスを、乳児の成長に従い、床の座板を取りはずし出来る構造に設け、歩行器に必要な吊りベルト棒を設け、補助イス板を吊りベルトで高さ調節が出来て歩行器となることを特徴とする、乳育児ボックス歩行器付きである。
【発明の効果】
【０００５】  這い這いして元気に室内を這いずり回る乳児の成長期は、危険な時であるが、家事仕事で乳児に付き添っていられなく困る時、家族で食事をする食卓のテーブルの椅子にはまだ無理な時、親の愛の手に替って抱え囲いこむ安楽なボックスとなる。
歩行訓練期に成長したら、附属品の組み合わせにより歩行器になる。育児具を色々買わずに済む一石二鳥の用具であり、ボックス形なので子供のオモチャ玩具箱にもなる。絵本箱にも、古新聞整理箱にも用途がある。
【発明を実施するための最良の形態】
【０００６】        以下本発明の実施の形態について説明する。
（イ）  乳育児ボックス歩行器付き（１）の後方背中部に、リクライニング板（２）を設ける。
（ロ）  前方に多目的利用の取りはずし簡単な、テーブル板（４）を設ける。
（ハ）  本体正面に保護者手かけ（５）を、後部に保護者手押し棒（１３）を設ける。
（ニ）  使用しない時の附属品納庫、物入ボックス（２３）を設け、補助イス板（１８）吊りベルト（１９）座床二枚板（１４）を納められる講造に設ける。
（ホ）  本体の下部の四隅に、ストッパー付きキャスター（９）を設け、外側に衝撃のない円筒ポリウレタンバンバー（８）を設ける。
（ヘ）  本体の材質は、木材加工品で高級感を出すとよい。
（ト）  緑、オレンジ、黄色の三色のあざやかな講成のデザインで幼児向きにするとよい。
（チ）  補助イス板（１８）と吊りベルト棒（１２）を安全に吊る、吊りベルト（１９）は高さ調節穴（２２）を設けた金具止めベルトで講成する。
（リ）  吊りベルト棒（１２）は、吊りベルト（１９）が横すべりしないように、横穴吊りベルト通し（２０）を設ける。
（ヌ）  本育児具を、大量生産による企業ペースの格安量産を目的とするなら、プラスチック樹脂による成形加工が良い。
海外生産も可能である。
本発明は以上のような構造工法で構成したものを、使用する時は初めは、
吊りベルト棒（１２）は抜きはずし、座床二枚板（１４）を床に組み合わせ、テーブル板（４）を、テーブル板受け丸棒（１７）と、吊りベルト棒（１２）−２の位置に合わせて育児ボックスとして使用する。座床二枚板（１４）の上に座蒲団、タオル、クッションなどを敷くとよい。
歩行訓練のため、歩行器に変更する時は、座床二枚板（１４）を取りはずして、吊りベルト棒（１２）を横側から差し込んで、補助イス板（１８）と吊りベルト（１９）で乳児の股下の長さに高さを調節して、歩行器に成るよう組み替える。
取りはずした座床二枚板（１４）は、物入ボックス（２３）に納める。四脚のストッパー付きキャスター（９）はそれぞれ止めることが出来るので、使用場所、時に応じて操作する。
使用しない時は、ボックス形なので玩具箱にもなる。
【図面の簡単な説明】
【０００７】
【図１】本発明の斜視図
【図２】本発明の後方を示す斜視図
【図３】本発明の平面図
【図４】本発明の分離品の平面図
【図５】本発明の分離品の斜視図
【図６】本発明の歩行器状態を示す平面図
【図７】本発明の歩行器の補助イス板取り付けを示す斜視図
【図８】本発明の歩行器の吊りベルトの止め方斜視図
【図９】本発明の歩行器の分離品の平面図
【図１０】本発明の歩行器の分離品の斜視図
【符号の説明】
【０００８】  １  乳育児ボックス歩行器付き
２  リクライニング板
３  ひじ掛け
４  テーブル板      ４−２  テーブルすべり落ち止め
５  保護者手かけ
６  穴−１、穴−２
７  飾りまど格子
８  円筒ポリウレタンバンバー
９  ストッパー付きキャスター
１０  丸棒飾り
１１  抜き差し吊りベルト棒止め
１２  吊りベルト棒
１２−２  吊りベルト棒
１３  保護者手押棒
１４  座床二枚板
１５  取り出し指穴
１６  二枚合わせ目
１７  テーブル板受け丸棒
１８  補助イス板
１９  吊りベルト
２０  横穴吊りベルト通し
２１  ベルト受け止め具
２２  高さ調節穴
２３  物入ボックス
【図１】
2006239385.tif 000003
【図２】
2006239385.tif 000004
【図３】
2006239385.tif 000005
【図４】
2006239385.tif 000006
【図５】
2006239385.tif 000007
【図６】
2006239385.tif 000008
【図７】
2006239385.tif 000009
【図８】
2006239385.tif 000010
【図９】
2006239385.tif 000011
【図１０】
2006239385.tif 000012